(57)【要約】【課題】本発明は、良好な画質を有し、バックライトモジュールの光の混合効果に優れた表示装置を提供する。【解決手段】本発明の表示装置は、光射出側を有する光源と、光源の光射出側に設置され、複数の光透過孔が有する仕切り板と、仕切り板に向かい合う光入射底面を有し、仕切り板の光源とは反対側に設置される表示パネルと、を含む。光入射底面上には、第１領域と第２領域とを有し、仕切り板には、第１領域と第２領域とが投影されることによって、第１投影領域と第２投影領域とがそれぞれ形成され、第１領域および第１投影領域の間と、第２領域および第２投影領域の間とには、それぞれ、第１平均ピッチと、第１平均ピッチと異なる第２平均ピッチとを有する。第１平均ピッチが第２平均ピッチよりも長い場合、第１投影領域内の複数の光透過孔の平均孔ピッチは、第２投影領域内の複数の光透過孔の平均孔ピッチよりも長い。【選択図】図２Ａ
2015022303.tif 000002
【特許請求の範囲】
【請求項１】
表示装置であって、
光射出側を有する光源と、
前記光源の前記光射出側に設置され、複数の光透過孔を有する仕切り板と、
前記仕切り板に向かい合う光入射底面を有し、前記仕切り板の前記光源とは反対側に設置される表示パネルと、を含み、
前記光入射底面上には、第１領域と第２領域とを有し、
前記仕切り板には、前記第１領域と前記第２領域とが投影されることによって、第１投影領域と第２投影領域とがそれぞれ形成され、
前記第１領域および前記第１投影領域の間と、前記第２領域および前記第２投影領域の間とには、それぞれ、第１平均ピッチと、前記第１平均ピッチとは異なる第２平均ピッチとを有し、
前記第１平均ピッチは、前記第２平均ピッチよりも長く、
前記第１投影領域内の前記複数の光透過孔の平均孔ピッチは、前記第２投影領域内の前記複数の光透過孔の平均孔ピッチよりも長いことを特徴とする表示装置。
【請求項２】
前記第１平均ピッチと前記第１投影領域内の前記複数の光透過孔の平均孔ピッチとの比、および、前記第２平均ピッチと前記第２投影領域内の前記複数の光透過孔の平均孔ピッチとの比は、いずれも０．６〜１．７であることを特徴とする請求項１に記載の表示装置。
【請求項３】
前記仕切り板の前記光源に向かい合う面は、反射面であることを特徴とする請求項１に記載の表示装置。
【請求項４】
前記光源と前記仕切り板とを収容するケースをさらに含み、
前記ケースと前記反射面とによって囲まれることにより、反射キャビティが形成されることを特徴とする請求項３に記載の表示装置。
【請求項５】
前記光透過孔の開口面積率は、前記仕切り板の前記光源の真上から離れた部分よりも前記仕切り板の前記光源の真上に接近した部分のほうが低いことを特徴とする請求項１に記載の表示装置。
【請求項６】
前記表示パネルおよび前記仕切り板のうち、少なくとも１つは、円弧状に形成されていることを特徴とする請求項１に記載の表示装置。
【請求項７】
表示装置であって、
光射出側を有する光源と、
前記光源の前記光射出側に設置され、複数の光透過孔を有する仕切り板と、
前記仕切り板に向かい合う光入射底面を有し、前記仕切り板の前記光源とは反対側に設置される表示パネルと、を含み、
隣接する２つの光透過孔間の中点と前記光入射底面との間にピッチを有し、
前記ピッチと前記隣接する２つの光透過孔間の孔ピッチとの比は、０．６〜１．７であることを特徴とする表示装置。
【請求項８】
前記複数の光透過孔は、隣接する第１透過孔および第２透過孔と、隣接する第３透過孔および第４透過孔とを含み、
前記第１透過孔および前記第２透過孔間の中点と前記光入射底面との間のピッチは、前記第３透過孔および前記第４透過孔間の中点と前記光入射底面との間のピッチよりも長く、
前記第１透過孔および前記第２透過孔間のピッチは、前記第３透過孔および前記第４透過孔間のピッチよりも長いことを特徴とする請求項７に記載の表示装置。
【請求項９】
前記仕切り板の前記光源に向かい合う面は、反射面であることを特徴とする請求項７に記載の表示装置。
【請求項１０】
前記光源と前記仕切り板とを収容するケースをさらに含み、
前記ケースと前記反射面とによって囲まれることにより、反射キャビティが形成されることを特徴とする請求項９に記載の表示装置。
【請求項１１】
前記光透過孔の開口面積率は、前記仕切り板の前記光源の真上から離れた部分よりも前記仕切り板の前記光源の真上に接近した部分のほうが低いことを特徴とする請求項７に記載の表示装置。
【請求項１２】
前記表示パネルおよび前記仕切り板のうち、少なくとも１つは、円弧状に形成されていることを特徴とする請求項７に記載の表示装置。
【請求項１３】
表示装置であって、
表示パネルと、前記表示パネルの下方に設置されるバックライトモジュールとを含み、
前記バックライトモジュールは、
ケースと、
複数の光透過孔を有し、前記ケース内に設置されるとともに前記ケースの内部空間を第１キャビティと第２キャビティとに仕切る仕切り板と、
前記第２キャビティ内に設置される光源と、を含み、
前記第１キャビティは、前記表示パネルと前記仕切り板との間に配置され、第１区画と第２区画とを有し、
前記第１区画の第１平均高さは、前記第２区画の第２平均高さよりも高く、
前記仕切り板の前記第１区画により覆われる前記複数の光透過孔は、前記仕切り板の前記第２区画により覆われる前記複数の光透過孔よりも分布密度が小さいことを特徴とする表示装置。
【請求項１４】
前記仕切り板の前記光源に向かい合う面は、反射面であり、
前記第２キャビティは、反射キャビティであることを特徴とする請求項１３に記載の表示装置。
【請求項１５】
前記第１平均高さと、前記仕切り板の前記第１区画に覆われる前記複数の光透過孔の平均孔ピッチとの比は、０．６〜１．７であることを特徴とする請求項１３に記載の表示装置。
【請求項１６】
前記表示パネルおよび前記仕切り板のうち、少なくとも１つは、円弧状に形成されることを特徴とする請求項１３に記載の表示装置。
【発明の詳細な説明】
【技術分野】
【０００１】
本発明は、表示装置に関し、具体的には、表示面が曲面からなる表示装置に関する。
【背景技術】
【０００２】
近年、表示機能を有する装置では、平面表示装置が多く採用されている。このような平面表示装置は、例えば、表示装置、コンピュータ、通信装置、および家電製品などの設備に採用されている。平面表示装置としては、種別の異なる表示パネル、例えば、液晶表示パネル、プラズマディスプレイパネルなどが知られている。また、現在、表示パネルの設計の多様化に合わせ、または表示パネルの用途をさらに広げるように、表示パネルは、一般の平面構造を有するほか、より薄型化することができ、さらに湾曲性または可撓性を有することも可能である。
【０００３】
図１に示すように、表示装置８００は、表示パネル８１０とライトボックス８２０とを含んでもよい。ライトボックス８２０内には、例えば、複数の発光ダイオードのような光源８３０が設置され、かつライトボックス８２０が高さを有することで、光源８３０と表示パネル８１０との間には距離があることになる。この距離は、光源から発せられる光の混合に関係し、ひいては画面の明暗または輝度の均一性に影響を与える。画面の品質を確保するために、従来、この距離としては、距離と、隣接する光源間のピッチｄとの比が０．３以上であり、すわなち、距離／ｄ≧０．３の関係式を満足させる。しかしながら、表示パネルが湾曲状に設計された場合、光源と表示パネルとの間の距離や光の混合距離が一定ではないので、画質に影響を与えてしまう。図１に示す従来技術では、光源のピッチが一定である状態において、距離Ｄ２／ｄ＝０．３とした場合、距離Ｄ１／ｄ＜０．３となる。距離Ｄ２である箇所における光の混合距離は十分であるが、距離Ｄ１である箇所における光の混合距離が不足することにより、画面に光ムラ（ｍｕｒａ）が生じる。距離Ｄ１／ｄ＝０．３になるためには、光源数を増やして光の混合距離の不足分を補うことで画質を維持することが必要になり、それに伴ってコストが上昇してしまうという問題があった。
【先行技術文献】
【特許文献】
【０００４】
【特許文献１】台湾特許公開第２０１２３９２３９号
【特許文献２】中国特許公開第１０３３８３０８４号
【特許文献３】台湾実用新案公告第Ｍ３８５７１５号
【発明の概要】
【発明が解決しようとする課題】
【０００５】
本発明の一つの目的は、良好な画質を有する表示装置を提供することにある。
【０００６】
本発明のもう一つの目的は、バックライトモジュールの光の混合効果に優れた表示装置を提供することにある。
【課題を解決するための手段】
【０００７】
本発明に係る表示装置は、光射出側を有する光源と、前記光源の前記光射出側に設置され、複数の光透過孔が分布する仕切り板と、前記仕切り板に向かい合う光入射底面を有し、前記仕切り板の前記光源とは反対側に設置される表示パネルと、を含む。前記光入射底面上には、第１領域と第２領域とを有し、前記仕切り板には、前記第１領域と前記第２領域とが投影されることによって、第１投影領域と第２投影領域とがそれぞれ形成され、前記第１領域および前記第１投影領域の間と、前記第２領域および前記第２投影領域の間とには、それぞれ、第１平均ピッチと、前記第１平均ピッチと異なる第２平均ピッチとを有する。前記第１平均ピッチは、前記第２平均ピッチよりも長い場合、前記第１投影領域内の前記複数の光透過孔の平均孔ピッチは、前記第２投影領域内の前記複数の光透過孔の平均孔ピッチよりも長い。または、いずれの隣接する２つの光透過孔間の中点と前記光入射底面との間にピッチを有し、前記ピッチと前記隣接する２つの光透過孔間の孔ピッチとの比は、０．６〜１．７である。
【０００８】
本発明に係る表示装置は、表示パネルと、バックライトモジュールとを含む。バックライトモジュールは、表示パネルの下方に設置され、ケースと、仕切り板と、光源とを含む。仕切り板は、複数の光透過孔を有し、前記ケース内に設置されるとともに前記ケースの内部空間を第１キャビティと第２キャビティとに仕切る。前記第１キャビティは、前記表示パネルと前記仕切り板との間に配置される。光源は、前記第２キャビティ内に設置される。前記第１キャビティは、第１区画と第２区画とを有する。前記第１区画の第１平均高さが前記第２区画の第２平均高さよりも高い場合、前記仕切り板の前記第１区画により覆われる前記複数の光透過孔は、前記仕切り板の前記第２区画により覆われる前記複数の光透過孔よりも分布密度が小さい。
【発明の効果】
【０００９】
本発明によれば、良好な画質を有し、バックライトモジュールの光の混合効果に優れた表示装置を提供することができる。
【図面の簡単な説明】
【００１０】
【図１】従来の表示装置の実施例を示す概略図である。
【図２Ａ】本発明に係る表示装置の実施例を示す概略図である。
【図２Ｂ】本発明に係る表示装置の他の実施例を示す概略図である。
【図３Ａ】本発明に係る表示装置の実施例を示す他の概略図である。
【図３Ｂ】本発明に係る表示装置の他の実施例を示す概略図である。
【図４Ａ】本発明に係る表示装置の光透過孔の孔ピッチと表示パネルまたは仕切り板の延在方向の関係図である。
【図４Ｂ】本発明に係る表示装置の光透過孔の孔ピッチと表示パネルまたは仕切り板の延在方向の関係図である。
【図５Ａ】本発明に係る表示装置の他の実施例を示す概略図である。
【図５Ｂ】本発明に係る表示装置の他の実施例を示す概略図である。
【図６】本発明に係る表示装置の他の実施例を示す概略図である。
【図７】本発明に係る表示装置の光透過孔の開口面積率と光源分布の関係図である。
【図８】本発明に係る表示装置の他の実施例を示す概略図である。
【発明を実施するための形態】
【００１１】
表示装置の表示画面が均一な輝度を有するか否かは、光源の発光効率、発光面積、および/または投射範囲により決定される光源の個数およびライトボックス内における光源の配置方式に左右される。例えば、隣接する光源間の距離、および光源の射出光が表示パネルに到達する前の光の混合距離は、画面の明暗や品質に影響を与える。即ち、光源と表示パネルとの間の距離、および隣接する光源間の距離は、適切な比率範囲を有する必要がある。一方、光源と表示パネルとの間は、例えば、仕切り板によって仕切られてもよい。しかも、仕切り板上には、光源の光を透過させるための光透過孔が配置されてもよい。そのとき、仕切り板における光透過孔は、光源からの光の再割り当てに相当する。光透過孔からの光は、表示パネルに到達する前に混合される。このため、光透過孔と表示パネルとの間の距離、および隣接する光透過孔間の距離も、適切な比率範囲を有する必要がある。
【００１２】
図２Ａに示すように、本発明の実施例に係る表示装置は、光源１００と、仕切り板２００と、表示パネル３００とを含んでいる。光源１００は、射出光の光射出側を有している。仕切り板２００は光源１００の光射出側に設置されることが好ましい。または、他の実施例においては、図２Ｂに示すように、側面発光型のバックライトモジュールを有し、仕切り板２００が光射出方向の側方に設置されてもよい。仕切り板２００上には、例えば、レーザまたはドリルによって形成され、光源１００の光を透過させる複数の光透過孔２１０を有している。これら光透過孔２１０の孔径は、同一または異なってもよい。なお、異なる孔ピッチを有することが好ましい。また、仕切り板２００の光源１００に向かい合う面は、反射面２２０であってもよい。好ましい実施例において、反射面２２０の反射率は、９８％より高い。このため、光源１００の射出光は、光透過孔２１０を透過しない場合、前記反射面によって反射されて再利用されることができる。表示パネル３００は、仕切り板２００の光源１００とは反対側に設置されるとともに、仕切り板２００に向かい合う光入射底面３２０を有している。なお、光源１００は、例えば、バックライトモジュール内に設置される複数のランプまたは発光ダイオードのような光源であってもよい。
【００１３】
さらにいうと、表示パネル３００の光入射底面３２０は、第１領域Ａ１と第２領域Ａ２とを有している。仕切り板２００には、第１領域Ａ１と第２領域Ａ２とが投影されることによって、第１投影領域Ｐｒ１と第２投影領域Ｐｒ２とがそれぞれ形成される。しかも、第１領域Ａ１および第１投影領域Ｐｒ１の間と、第２２領域Ａ２および第２投影領域Ｐｒ２の間とには、それぞれ、距離を有している。表示パネル３００および仕切り板２００のうちの少なくとも１つが、水平面ではない場合、または、例えば円弧状に形成された場合、第１領域Ａ１と第１投影領域Ｐｒ１との間の距離は、第２領域Ａ２と第２投影領域Ｐｒ２との間の距離に等しくない。図２Ａに示す実施例において、表示パネル３００が、光源１００に突出する円弧状に形成され、仕切り板２００が平面である。この実施例において、第１領域Ａ１および第２領域Ａ２のそれぞれは、連続曲面である。しかも、第２領域Ａ２は、例えば、曲面中心に比較的接近する領域である。
【００１４】
また、上述した距離は、各領域における各部分から、各部分の仕切り板２００への投影領域までの投影距離の平均値であり、つまり、表示パネル３００と仕切り板２００との間（異なる領域、例えば、第１領域Ａ１または第２領域Ａ２において）の平均ピッチに相当することが好ましい。ここで、前記投影距離は、仕切り板２００の法線方向に仕切り板２００から光入射底面３２０までの垂直距離と定義されている。図２Ａに示す実施例を例として、第１領域Ａ１と第１投影領域Ｐｒ１との間には、第１平均ピッチＨ１を有し、第２領域Ａ２と第２投影領域Ｐｒ２との間には、第２平均ピッチＨ２を有している。
【００１５】
一方、本発明の好ましい実施例において、光透過孔２１０間には、異なる孔ピッチＰ１、Ｐ２を有している。ここで、当該孔ピッチは、隣接する２つの光透過孔２１０の中心の間の距離である。第１平均ピッチＨ１が、第２平均ピッチＨ２と異なって第２平均ピッチＨ２よりも長い場合、好ましくは、第１投影領域Ｐｒ１におけるこれら光透過孔２１０の平均孔ピッチＰ１が、第２投影領域Ｐｒ２におけるこれら光透過孔２１０の平均孔ピッチＰ２よりも長く、しかもＨ１とＰ１との比、およびＨ２とＰ２との比が、０．６〜１．７の範囲内にある。これにより、優れた光の混合効果が得られる。換言すれば、Ｈ１／Ｐ１およびＨ２／Ｐ２は、最大が１．７以下、最小が０．６以上であるように設定されることが好ましい。
【００１６】
上述した第１領域Ａ１および第２領域Ａ２の区画は、図示に限定されない。光入射底面３２０におけるいずれか２つの領域は、第１領域Ａ１および第２領域Ａ２であってもよい。
【００１７】
また、図２Ａに示すように、表示パネル３００は、内側に凹む円弧状である。即ち、表示パネル３００の光入射底面３２０は、表示パネル３００の一側辺から他側辺への延在方向に、実質的に仕切り板２００に漸次接近し、次いで仕切り板２００から漸次離れるようになっている。第１平均ピッチＨ１が第２平均ピッチＨ２よりも長いので、第２領域Ａ２よりも第１領域Ａ１は光入射底面３２０の中央から離れる。一方、図４Ａに示すように、前記延在方向における光透過孔の（平均）孔ピッチは、原則として、光入射底面３２０が仕切り板２００に漸次接近し、次いで仕切り板２００から漸次離れることに伴って、即ち、光入射底面３２０と仕切り板２００との間の距離が一旦短くなってその後長くなることに伴って、一旦短くなってその後長くなる。
【００１８】
他の実施例において、図３Ｂ示すように、表示パネル３００は、外側に突出する円弧状である。即ち、表示パネル３００の光入射底面３２０は、表示パネル３００の一側辺から他側辺への延在方向に、実質的に仕切り板２００から漸次離れ、次いで仕切り板２００に漸次接近するようになっている。第１平均ピッチＨ１が第２平均ピッチＨ２よりも短いので、第２領域Ａ２よりも第１領域Ａ１は光入射底面３２０に接近する。そのとき、図４Ｂに示すように、前記延在方向における光透過孔の（平均）孔ピッチは、原則として、光入射底面３２０が仕切り板２００から漸次離れ、次いで仕切り板２００に漸次接近するのに伴って、即ち、光透過孔の孔ピッチは、光入射底面３２０と仕切り板２００との間の距離が一旦長くなった後短くなるのに伴って、一旦長くなってその後短くなる。
【００１９】
本発明に係る表示装置は、図３Ａ〜３Ｂに示すように、上述した光源１００および仕切り板２００を収容可能なケース４００をさらに含んでいる。ケース４００は、ライトボックスともいえる。例えば、ケース４００は、バックライトモジュールの背面パネルにより構成されてもよい。光源１００は、背面パネルの内側底面に設置されてもよい。また、ケース４００と仕切り板２００の反射面とによって囲まれることにより、反射キャビティ４０００が形成されてもよい。ここで、仕切り板２００の材質は、金属またはプラスチックから選択されてもよい。ケース４００は、反射性を有する材質から選択されるものである。一実施例において、ケース４００の反射率は、９８％より高い。また、他の実施例において、ケース４００の内部には、反射機能を持つ光学フィルム、例えば、反射フィルムが設置されている。光透過孔２１０を透過しない光は、反射キャビティ４０００内に反射された後に再利用されることで、光利用効率を向上させる。
【００２０】
図５Ａ〜図５Ｂに示すように、本発明の他の実施例において、表示装置１０は、上述した光源１００、仕切り板２００および表示パネル３００を含んでいる。仕切り板２００が光源１００の光射出側に設置されるとともに、仕切り板２００には複数の光透過孔２１０を有している。これら光透過孔２１０は、同一または異なる孔径を有してもよい。なお、異なる孔ピッチを有することが好ましい。また、仕切り板２００の光源１００に向かい合う面は、反射面２２０であってもよい。好ましい実施例において、光の再利用効率を向上するように、反射面２２０の反射率が９８％より高い。表示パネル３００は、仕切り板２００の光源１００とは反対側に設置されるとともに、仕切り板２００に向かい合う光入射底面３２０を有している。表示パネル３００の光入射底面３２０と仕切り板２００との間には、ピッチを有している。光入射底面３２０と仕切り板２００との間のピッチは、例えば、表示パネル３００が円弧状に形成された場合、固定値ではなくてもよい。または、仕切り板２００と光源１００との間のピッチは、例えば、図５Ｂに示すように、表示パネル３００および仕切り板２００のいずれも円弧状に形成された場合、固定値ではなくてもよい。
【００２１】
さらにいうと、隣接する２つの光透過孔２１０のピッチについては、前記ピッチと、隣接する２つの光透過孔２１０の孔ピッチの比が０．６〜１．７の範囲内にあることが好ましい。ここで、前記孔ピッチは、隣接する２つの光透過孔２１０の中心の間の距離であってもよい。前記ピッチは、隣接する２つの光透過孔２１０の中点から光入射底面３２０までの距離であってもよい。
【００２２】
例えば、図５Ａに示すように、第１透過孔２１１および第２透過孔２１２は、隣接する２つの光透過孔である。第３透過孔２１３および第４透過孔２１４は、隣接する２つの光透過孔である。しかも、第１透過孔２１１と第２透過孔２１２との間の孔ピッチＰ１は、ほぼ第１透過孔２１１の中心から第２透過孔２１２の中心までの距離である。第３透過孔２１３と第４透過孔２１４の孔ピッチＰ２は、ほぼ第３透過孔２１３の中心から第４透過孔２１４の中心までの距離である。孔ピッチＰ１は、孔ピッチＰ２と異なってもよい。一方、隣接する第１透過孔２１１および第２透過孔２１２の近傍の光入射底面３２０と仕切り板２００との間に形成されたピッチＧ１は、ほぼ第１透過孔２１１と第２透過孔２１２との中点Ｃから光入射底面３２０までの垂直距離である。隣接する第３透過孔２１３近傍および第４透過孔２１４近傍の光入射底面３２０と仕切り板２００との間に形成されたピッチＧ２は、ほぼ第３透過孔２１３と第４透過孔２１４との中点Ｃから光入射底面３２０までの垂直距離である。ピッチＧ１は、ピッチＧ２と異なってもよい。
【００２３】
以上により、ピッチＧ１がピッチＧ２よりも長い場合、孔ピッチＰ１は、孔ピッチＰ２よりも長いことが好ましい。換言すれば、孔ピッチが長くなるのに伴ってピッチが長くなり、孔ピッチが短くなるのに伴ってピッチが短くなる。さらに、そのピッチと、隣接する光透過孔間の孔ピッチとの比は、０．６〜１．７の範囲内にある。
【００２４】
図６に示すように、本発明の他の実施例において、表示装置１０は、表示パネル３００およびバックライトモジュール５００を含んでいる。表示パネル３００は、光入射底面３２０を有し、好ましくは、光入射底面３２０がバックライトモジュール５００に向かい合うようにバックライトモジュール５００上に組み立てられる。バックライトモジュール５００は、ケース４００と、仕切り板２００と、光源１００とを含んでいる。仕切り板２００および光源１００は、ケース４００内に設置される。さらに、仕切り板２００上には、複数の光透過孔２１０が形成されるとともに、仕切り板２００によってケース４００の内部空間が第１キャビティ４１０および第２キャビティ４２０に仕切られている。例えば、仕切り板２００は、ケース４００の内側壁面に連結され、表示パネル３００の光入射底面３２０と共に第１キャビティ４１０を形成し、さらにケース４００の内側底面と共に第２キャビティ４２０を形成する。光源１００は、第２キャビティ４２０内に設置されることが好ましい。光源１００の射出光は、光透過孔２１０を透過可能であり、かつ第２キャビティ４２０から外れて第１キャビティ４１０内に進入する。即ち、第２キャビティ４２０および光透過孔２１０によって光の再割り当てが行われ、第１キャビティ４１０によって光を混合することが可能である。第２キャビティ４２０は、さらに光反射キャビティであってもよい。
【００２５】
換言すれば、第１キャビティ４１０では、仕切り板２００を底面とし、光入射底面３２０を天井面とする。一方、第１キャビティ４１０は、異なる区画をさらに含んでもよい。これら区画は、ほぼ仕切り板２００に沿って並列する。各区画は、仕切り板２００を底部として光入射底面３２０を天井部とするダミー区画である。区画は、サイズが大きくても小さくてもよいし、数が多くても少なくてもよく、図示に限定されるものではない。また、各区画の底部の面積が、各区画の天井部の仕切り板２００への投影範囲に相当する一方、各区画の天井部の面積が、各区画の底部の光入射底面３２０への投影範囲に相当する。
【００２６】
例えば、第１キャビティ４１０は、第１区画４１０１および第２区画４１０２を含んでいる。これら区画のそれぞれは、例えば、表示パネル３００および仕切り板２００のうちの少なくとも１つが円弧状である場合、異なる高さを有してもよい。当該高さは、各区画の平均高さ、例えば、第１区画４１０１の第１平均高さｈ１、第２区画４１０２の第２平均高さｈ２である。
【００２７】
一方、この実施例において、仕切り板２００における複数の光透過孔２１０は、同一または異なる孔径を有してもよい。また、仕切り板２００における光透過孔２１０の分布の疎密は、均一または不均一であってもよい。光透過孔２１０の分布密度と、区画の高さまたは平均高さとは、逆相関の関係となることが好ましい。上述した第１区画４１０１および第２区画４１０２を例として、第１平均高さｈ１が第２平均高さｈ２よりも高い場合、第２区画４１０２の仕切り板２００の領域に比べ、第１区画４１０１の仕切り板２００の領域は、分布密度の低い光透過孔２１０を有している。なお、この分布密度は、孔数の密度であることが好ましい。光透過孔２１０の分布密度は、例えば、光透過孔２１０の数を調整することによって実現されてもよい。または、光透過孔２１０の数が一定である場合、これら光透過孔２１０を接近させるもしくは離れさせることによって、例えば、そのうちの１つの光透過孔を一部の光透過孔に接近させると同時に他の光透過孔に対して離れることによって、光透過孔２１０を不均一の疎密で分布させる。
【００２８】
以上のことをまとめると、上述した区画の高さまたは平均高さは、光透過孔の分布密度に関連し、光透過孔の分布密度は、その孔ピッチに関連する。前記高さまたは平均高さと、前記区画により覆われる光透過孔の孔ピッチまたは平均孔ピッチとの比は、０．６〜１．７の範囲内にある。
【００２９】
本発明の他の実施例において、光透過孔２１０の孔径は、光源１００に対する光透過孔２１０の位置に応じて調整されてもよい。または、異なる仕切り板２００領域内にある光透過孔２１０により、異なる領域の光透過孔の開口面積が構成される。しかも、各異なる領域は、光源１００に対する各領域の位置に応じて異なる光透過孔の開口面積を有している。各領域の光透過孔の開口面積は、例えば、孔径の異なる複数の光透過孔２１０により構成されてもよい。本発明の実施例において、さらに開口面積率により、各単位の仕切り板領域における開口面積が表される。好ましくは、光源１００の真上にある仕切り板２００の部分には、光透過孔の開口面積が比較的に小さいが、当該光源１００の真上から離れる仕切り板２００の部分には、開口面積が比較的に大きい。換言すれば、仕切り板２００の各単位領域において、光源１００の真上にある仕切り板２００の部分には、光透過孔の開口面積率が比較的に低いが、当該光源１００の真上から離れる仕切り板２００の部分には、開口面積率が比較的に高いことが好ましい。図７に示すように、光源１００は、その光射出側が仕切り板２００に向かい合う光源を複数含む実施例において、光透過孔の開口面積（率）は、仕切り板２００と各光源との遠近によって大小交互に変化する。このような設計により、表示パネル３００の各領域の表示輝度はさらに均一になることが可能である。他の実施例において、光源１００の真上から離れる部分の光透過孔２１０の孔径に比べ、光源１００の真上に接近する部分の光透過孔２１０の孔径を適切に小さくすることで、仕切り板２００および/またはこれら光透過孔２１０からの光を平衡させることができる。換言すれば、そのとき、比較的に小さい光透過孔２１０の孔径により、この一部の仕切り板２００の小さい光透過孔の開口面積（率）が構成され、大きい光透過孔２１０の孔径により、この一部の仕切り板２００の大きい光透過孔の開口面積（率）が構成される。
【００３０】
本発明の他の実施例において、図８に示すように、光源１００は、発光ダイオードおよびレンズ１５０により構成される光源を複数含んでもよい。このような光源を使用することによって、例えば、大きい発光面積および/または広い投射範囲が得られることができる。また、このような光源は、仕切り板２００と光源１００の距離および/または光透過孔２１０のサイズもしくは分布密度に応じて使用されることが可能である。
【００３１】
以上、本発明の好ましい実施例を挙げて説明したが、これは本発明の実施例に過ぎない。説明した実施例は、本発明の範囲を限定するものではないことが理解されたい。
当業者であれば本発明の精神及び範囲を含む各種の変動や潤色は、本発明の保護を求める範囲内に属するものである。
【符号の説明】
【００３２】
１０  表示装置
１００  光源
１５０  レンズ
２００  仕切り板
２１０  光透過孔
２１１  第１透過孔
２１２  第２透過孔
２１３  第３透過孔
２１４  第４透過孔
２２０  反射面
３００  表示パネル
３２０  光入射底面
４００  ケース
４０００  反射キャビティ
４１０１  第１区画
４１０２  第２区画
５００  バックライトモジュール
８００  表示装置
８１０  表示パネル
８２０  ライトボックス
８３０  光源
Ｐｒ１  第１投影領域
Ｐｒ２  第２投影領域
Ａ１  第１領域
Ａ２  第２領域
Ｈ１  第１平均ピッチ
Ｈ２  第２平均ピッチ
Ｇ１、Ｇ２  ピッチ
ｈ１  第１平均高さ
ｈ２  第２平均高さ
Ｃ  中間部
Ｐ  孔ピッチ
Ｐ１、Ｐ２  平均孔ピッチ
Ｄ１、Ｄ２  距離
ｄ  ピッチ
【図１】
2015022303.tif 000003
【図２Ａ】
2015022303.tif 000004
【図２Ｂ】
2015022303.tif 000005
【図３Ａ】
2015022303.tif 000006
【図３Ｂ】
2015022303.tif 000007
【図４Ａ】
2015022303.tif 000008
【図４Ｂ】
2015022303.tif 000009
【図５Ａ】
2015022303.tif 000010
【図５Ｂ】
2015022303.tif 000011
【図６】
2015022303.tif 000012
【図７】
2015022303.tif 000013
【図８】
2015022303.tif 000014